(57)【要約】【課題】上りリンク伝送品質を保ちつつ、上限値を超える区間にパワースケーリングを適用可能にすること。【解決手段】複数セル（Ｃ１、Ｃ２）が形成される無線通信システム１において複数セルの１つである第１セルＣ１を形成する基地局装置（２０）であって、１つ又は複数のコンポーネントキャリアが含まれるタイミンググループ毎に上りリンクの送信タイミングを制御する制御部（２３４）と、パワースケーリングが適用されるタイミンググループ又はコンポーネントキャリアが明示的に規定され、パワースケーリング対象として規定されたタイミンググループ又はコンポーネントキャリアをパワースケーリング対象情報としてユーザ端末（１０）へシグナリングする送信部（１０６）と、を具備する。【選択図】図１０
2014072778.tif 000002
【特許請求の範囲】
【請求項１】
複数セルが形成される無線通信システムにおいて、
前記複数セルに含まれる各セルをそれぞれ形成する複数の基地局装置と、前記複数セルに含まれる少なくとも第１セル及び第２セルに接続可能なユーザ端末と、を備え、
前記基地局装置は、１つ又は複数のコンポーネントキャリアが含まれるタイミンググループ毎に上りリンクの送信タイミングを制御する制御部と、パワースケーリングが適用されるタイミンググループ又はコンポーネントキャリアが明示的に規定され、パワースケーリング対象として規定されたタイミンググループ又はコンポーネントキャリアをパワースケーリング対象情報として前記ユーザ端末へシグナリングする送信部と、を具備し、
前記ユーザ端末は、前記基地局装置からシグナリングされたパワースケーリング対象情報を受信する受信部と、タイミンググループ毎に異なる送信タイミングで上りリンク信号を送信する送信部と、第１セル及び第２セルを合計した上りリンク信号の送信電力が規定値を超える場合に、前記パワースケーリング対象情報として規定されたタイミンググループ又はコンポーネントキャリアに対してパワースケーリングを適用する電力制御部と、を具備したことを特徴とする無線通信システム。
【請求項２】
前記基地局装置は、パワースケーリング対象として規定されたタイミンググループ又はコンポーネントキャリアを前記ユーザ端末へ上位レイヤシグナリングすることを特徴とする請求項１記載の無線通信システム。
【請求項３】
前記基地局装置は、前記ユーザ端末が同時接続する複数セルの伝送品質，トラフィックの少なくとも１つを指標にして、パワースケーリングが適用されるタイミンググループ又はコンポーネントキャリアが明示的に規定されることを特徴とする請求項１記載の無線通信システム。
【請求項４】
前記基地局装置は、前記ユーザ端末が同時接続する各セルに含まれるコンポーネントキャリアが複数のタイミンググループに分類される場合、各タイミンググループの特定の物理上りチャネルが、パワースケーリングが適用される物理チャネルとして明示的に規定され、物理チャネル毎にパワースケーリング対象がシグナリングされ、
前記ユーザ端末は、同時接続する複数セルを合計した上りリンク信号の送信電力が規定値を超える場合に、前記パワースケーリング対象として通知された物理チャネルに対してパワースケーリングを適用することを特徴とする請求項１記載の無線通信システム。
【請求項５】
前記基地局装置は、前記ユーザ端末が第１セルと第２セルに同時接続され、第１セルが制御信号用、第２セルがデータ伝送用として運用され、第１セルに含まれるコンポーネントキャリアが第１タイミンググループに分類され、第２セルに含まれるコンポーネントキャリアが第２タイミンググループに分類される場合、第１タイミンググループの物理上り制御チャネル（PUCCH）、第２タイミンググループの物理上り共有チャネル（PUSCH）及び又はチャネル品質測定用の参照信号(SRS)が、パワースケーリングが適用される物理チャネルとして明示的に規定されることを特徴とする請求項１記載の無線通信システム。
【請求項６】
前記ユーザ端末は、同時接続する複数セルを合計した上りリンク信号の送信電力が規定値を超える場合に、特定の物理上りチャネルに優先的に電力を割当て、前記特定の物理上りチャネルを除いて、前記パワースケーリング対象として規定されたタイミンググループ又はコンポーネントキャリアに対してパワースケーリングを適用することを特徴とする請求項１記載の無線通信システム。
【請求項７】
複数セルが形成される無線通信システムにおいてセルを形成する基地局装置であって、
１つ又は複数のコンポーネントキャリアが含まれるタイミンググループ毎に上りリンクの送信タイミングを制御する制御部と、
パワースケーリングが適用されるタイミンググループ又はコンポーネントキャリアが明示的に規定され、パワースケーリング対象として規定されたタイミンググループ又はコンポーネントキャリアをパワースケーリング対象情報としてユーザ端末へシグナリングする送信部と、を具備し、
前記ユーザ端末は、複数セルに接続してタイミンググループ毎に異なる送信タイミングに制御される、ことを特徴とする基地局装置。
【請求項８】
複数の基地局装置が複数セルを形成する無線通信システムにおいて複数セルに接続するユーザ端末であって、
前記基地局装置からシグナリングされたパワースケーリング対象情報を受信する受信部と、
タイミンググループ毎に異なる送信タイミングで上りリンク信号を送信する送信部と、
接続セルを合計した上りリンク信号の送信電力が規定値を超える場合に、前記パワースケーリング対象情報として規定されたタイミンググループ又はコンポーネントキャリアに対してパワースケーリングを適用する電力制御部と、
を具備したことを特徴とするユーザ端末。
【請求項９】
複数セルが形成される無線通信システムにおける無線通信方法において、
前記無線通信システムは、前記複数セルに含まれる各セルをそれぞれ形成する複数の基地局装置と、前記複数セルに含まれる少なくとも第１セル及び第２セルに接続可能なユーザ端末と、を備え、
１つ又は複数のコンポーネントキャリアが含まれるタイミンググループ毎に上りリンクの送信タイミングを制御するステップと、
パワースケーリングが適用されるタイミンググループ又はコンポーネントキャリアが明示的に規定され、パワースケーリング対象として規定されたタイミンググループ又はコンポーネントキャリアをパワースケーリング対象情報として前記基地局装置から前記ユーザ端末へシグナリングするステップと、
前記ユーザ端末において、前記基地局装置からシグナリングされたパワースケーリング対象情報を受信するステップと、
タイミンググループ毎に異なる送信タイミングで上りリンク信号を送信するステップと、同時接続する複数セルを合計した上りリンク信号の送信電力が規定値を超える場合に、前記パワースケーリング対象情報として規定されたタイミンググループ又はコンポーネントキャリアに対してパワースケーリングを適用するステップと、を具備したことを特徴とする無線通信方法。
【発明の詳細な説明】
【技術分野】
【０００１】
本発明は、上りリンクにおいて複数の接続セルに対して異なる送信タイミングでマルチキャリア送信する無線通信システム、基地局装置、ユーザ端末及び無線通信方法に関する。
【背景技術】
【０００２】
ＵＭＴＳ（Universal  Mobile  Telecommunications  System）における、更なる周波数利用効率及びピークデータレートの向上、遅延の低減などを目的として、ＬＴＥ（Long  Term  Evolution）が検討されて来た（非特許文献１）。その結果、Release−8  ＬＴＥ（以下、Ｒｅｌ．８−ＬＴＥという）では無線アクセス方式として、下りリンクについては直交周波数分割多重接続(ＯＦＤＭＡ：Orthogonal  Frequency  Division  Multiplexing  Access）をベースとした方式が採用され、上りリンクについてはシングルキャリア周波数分割多重接続（ＳＣ−ＦＤＭＡ：Single−Carrier  Frequency  Division  Multiple  Access）をベースとした方式が採用された。Ｒｅｌ．８−ＬＴＥにおいては、１．４ＭＨｚ〜２０ＭＨｚの可変帯域を用いて、下りリンクで最大３００Ｍｂｐｓ及び上りリンクで７５Ｍｂｐｓ程度の伝送レートを実現できる。現在、３ＧＰＰにおいて、ＵＭＴＳネットワークの更なる広帯域化及び高速化を目的として、ＬＴＥの後継システム（ＬＴＥアドバンスト（ＬＴＥ−Ａ）という）が検討されている。
【０００３】
最近は、マクロセルのエリア内に送信電力の小さい小電力ノード（LPN）をオーバレイするヘテロジーニアスネットワーク(ＨｅｔＮｅｔ)を構築し、ＨｅｔＮｅｔにキャリアアグリゲーション(CA: Carrier Aggregation)を適用することで、ネットワークの容量を大容量化することが検討されている。キャリアアグリゲーションは、ＬＴＥがサポートする周波数帯（１．４ＭＨｚ〜２０ＭＨｚ）を１つのコンポーネントキャリア(ＣＣ:Component  Carrier)として扱い、複数ＣＣを同時に利用することで広帯域化する技術である。ＨｅｔＮｅｔにおいて、ユーザ端末が接続する接続セルをＣＣ毎に変える事により、効率的なユーザ端末制御やトラフィックオフローディング等を実現できる。
【０００４】
図１に、ＨｅｔＮｅｔにおいて、ユーザ端末ＵＥが基地局装置ｅＮＢ（マクロセル）と小電力ノードＬＰＮ（ローパワーセル）の２つのセルに接続した状態を例示する。ユーザ端末ＵＥは、キャリアアグリゲーションによってコンポーネントキャリアＣＣ＃１及びＣＣ＃２が割り当てられており、コンポーネントキャリア＃ＣＣ１を介してマクロセルと接続し、コンポーネントキャリアＣＣ＃２を介してローパワーセルと接続している。小電力ノードＬＰＮ２はセルが小さいので、ユーザ端末ＵＥは基地局装置ｅＮＢよりも小電力ノードＬＰＮに近い位置に存在する。ＬＴＥ−Ａの最新規格であるＲｅｌ．１１−ＬＴＥでは、それぞれのノード（基地局装置、小電力ノード）における受信タイミングを合わせる事を目的として、上りリンクにおいて複数のＣＣに対して複数の送信タイミングを実現するＭＴＡ(Multiple  Timing  Advance)機能が導入される（Rel. 10まではユーザ端末は単一の送信タイミング制御を行なっていた（TAまたはSingle TAと呼ばれる））。図１に示す例では、マクロセルは送信タイミングＴ１で上りリンク送信が行われ、ローパワーセルでは送信タイミングＴ１から所定時間遅延した送信タイミングＴ２で上りリンク送信が行われている。
【０００５】
LTE-Aにおいては最大５ＣＣを用いたキャリアアグリゲーションが実現する。一方、Ｒｅｌ．１１−ＬＴＥに導入されるＭＴＡでは、最大５つのＣＣを最大４つのＴＡＧ(TA Group)に分類し、ＴＡＧ毎に送信タイミングを制御する。
【０００６】
図２に５つのＣＣが４つのＴＡＧに分類された状態を例示する。５つのＣＣ＃１〜ＣＣ＃５を４つのＴＡＧ＃１〜ＴＡＧ＃４に分類している。ＣＣ＃１に対してＴＡＧ＃１、２つのＣＣ＃２及びＣＣ＃３に対して１つのＴＡＧ＃２、ＣＣ＃４に対してＴＡＧ＃３、ＣＣ＃５に対してＴＡＧ＃４、がそれぞれ割当てられている。
【０００７】
ＭＴＡが適用されたユーザ端末ＵＥにおいてＴＡＧ毎に上りリンクの送信タイミングを制御する場合、図３に示すようにＴＡＧ間の送信タイミング差は最大で３０μｓ程度まで生じる。図３にはＴＡＧ＃１とＴＡＧ＃２とで送信タイミングが例えば３０μｓずれた状態を示している。
【先行技術文献】
【非特許文献】
【０００８】
【非特許文献１】3GPP,  TR25.912  (V7.1.0),  "Feasibility  study  for  Evolved  UTRA  and  UTRAN",  Sept.  2006
【非特許文献２】3GPP,  TS36.211 Sec. 8.1, “Timing Advance”
【発明の概要】
【発明が解決しようとする課題】
【０００９】
ところで、LTE-Aシステムにおける上りリンクでは、ＣＣ単位かつサブフレーム単位で送信電力が制御されており、各サブフレームでのトータル送信電力が上限規定を超えないように制御される。
【００１０】
一方、Ｒｅｌ．１１−ＬＴＥで導入されるＭＴＡ機能がユーザ端末に適用された場合、ＴＡＧ間でサブフレームが重複する部分（ＰＯ：Partial Overlap）が生じる可能性があるが、ＰＯ区間において送信電力の上限規定を超える可能性がある。例えば、図４に示すように、一方のＴＡＧがハイパワーのサブフレーム区間では、他方のＴＡＧがローパワーのサブフレーム区間となるようにＴＡＧ毎にサブフレーム単位で送信電力を制御したとしても、ＴＡＧ間でハイパワーのサブフレームが重複するＰＯ区間が生じると、ＰＯ区間では規定された送信電力の上限規定を超えてしまう。そこで、ＰＯ区間においてトータル送信電力が上限規定を超える可能性がある場合には、ＰＯ区間またはサブフレーム区間全体にパワースケーリングを適用してトータル送信電力を低減する必要がある。なお、本明細書においてパワースケーリングというときは、パワーを低減するだけでなく、パワーを０にする場合も含む。
【００１１】
しかしながら、ＰＯ区間にパワースケーリングを適用すると、信号電力が低減するため、上りリンク伝送品質が劣化する課題が生じる。
【００１２】
本発明は、かかる点に鑑みてなされたものであり、上りリンク伝送品質を保ちつつ、ＰＯ区間におけるパワースケーリングを適用可能な無線通信システム、ユーザ端末、基地局装置及び無線通信方法を提供することを目的とする。
【課題を解決するための手段】
【００１３】
本発明に係る無線通信システムは、複数セルが形成される無線通信システムにおいて、前記複数セルに含まれる各セルをそれぞれ形成する複数の基地局装置と、前記複数セルに含まれる少なくとも第１セル及び第２セルに接続可能なユーザ端末と、を備え、前記基地局装置は、１つ又は複数のコンポーネントキャリアが含まれるタイミンググループ毎に上りリンクの送信タイミングを制御する制御部と、パワースケーリングが適用されるタイミンググループ又はコンポーネントキャリアが明示的に規定され、パワースケーリング対象として規定されたタイミンググループ又はコンポーネントキャリアをパワースケーリング対象情報として前記ユーザ端末へシグナリングする送信部と、を具備し、前記ユーザ端末は、前記基地局装置からシグナリングされたパワースケーリング対象情報を受信する受信部と、タイミンググループ毎に異なる送信タイミングで上りリンク信号を送信する送信部と、第１セル及び第２セルを合計した上りリンク信号の送信電力が規定値を超える場合に、前記パワースケーリング対象情報として規定されたタイミンググループ又はコンポーネントキャリアに対してパワースケーリングを適用する電力制御部と、を具備したことを特徴とする。
【００１４】
本発明に係る基地局装置は、複数セルが形成される無線通信システムにおいてセルを形成する基地局装置であって、１つ又は複数のコンポーネントキャリアが含まれるタイミンググループ毎に上りリンクの送信タイミングを制御する制御部と、パワースケーリングが適用されるタイミンググループ又はコンポーネントキャリアが明示的に規定され、パワースケーリング対象として規定されたタイミンググループ又はコンポーネントキャリアをパワースケーリング対象情報としてユーザ端末へシグナリングする送信部と、を具備し、前記ユーザ端末は、複数セルに接続してタイミンググループ毎に異なる送信タイミングに制御される、ことを特徴とする。
【００１５】
本発明に係るユーザ端末は、複数の基地局装置が複数セルを形成する無線通信システムにおいて複数セルに接続するユーザ端末であって、前記基地局装置からシグナリングされたパワースケーリング対象情報を受信する受信部と、タイミンググループ毎に異なる送信タイミングで上りリンク信号を送信する送信部と、接続セルを合計した上りリンク信号の送信電力が規定値を超える場合に、前記パワースケーリング対象情報として規定されたタイミンググループ又はコンポーネントキャリアに対してパワースケーリングを適用する電力制御部と、を具備したことを特徴とする。
【００１６】
本発明に係る無線通信方法は、複数セルが形成される無線通信システムにおける無線通信方法において、前記無線通信システムは、前記複数セルに含まれる各セルをそれぞれ形成する複数の基地局装置と、前記複数セルに含まれる少なくとも第１セル及び第２セルに接続可能なユーザ端末と、を備え、１つ又は複数のコンポーネントキャリアが含まれるタイミンググループ毎に上りリンクの送信タイミングを制御するステップと、パワースケーリングが適用されるタイミンググループ又はコンポーネントキャリアが明示的に規定され、パワースケーリング対象として規定されたタイミンググループ又はコンポーネントキャリアをパワースケーリング対象情報として前記基地局装置から前記ユーザ端末へシグナリングするステップと、前記ユーザ端末において、前記基地局装置からシグナリングされたパワースケーリング対象情報を受信するステップと、タイミンググループ毎に異なる送信タイミングで上りリンク信号を送信するステップと、第１セル及び第２セルを合計した上りリンク信号の送信電力が規定値を超える場合に、前記パワースケーリング対象情報として規定されたタイミンググループ又はコンポーネントキャリアに対してパワースケーリングを適用するステップと、を具備したことを特徴とする。
【発明の効果】
【００１７】
本発明によれば、上りリンク伝送品質を保ちつつ、上りリンクの送信電力が上限値を超える区間にパワースケーリングを適用可能である。
【図面の簡単な説明】
【００１８】
【図１】ＨｅｔＮｅｔを説明するための図である。
【図２】コンポーネントキャリアとＴＡＧとの関係を示す図である。
【図３】ＴＡＧ間で送信タイミングがずれた状態を示す図である。
【図４】ＴＡＧ間でハイパワーのサブフレームが重複するＰＯ区間を示す図である。
【図５】パワースケーリングの適用例を示す図である。
【図６】実施の形態に係る無線通信システムの構成の説明図である。
【図７】実施の形態に係る基地局装置の概略構成を示すブロック図である。
【図８】基地局装置におけるベースバンド信号処理部の構成を示すブロック図である。
【図９】実施の形態に係る移動端末装置の概略構成を示すブロック図である。
【図１０】移動局装置におけるベースバンド信号処理部の構成を示すブロック図である。
【図１１】移動局装置のベースバンド信号処理部におけるレイヤ１処理部の構成を示すブロック図である。
【発明を実施するための形態】
【００１９】
本発明の骨子は、基地局装置ｅＮＢがユーザ端末ＵＥに対してパワースケーリングを優先的に適用するＴＡＧ（又はセル、ＣＣ、上り物理チャネル）を明示的に規定し、パワースケーリングを優先的に適用するＴＡＧ等を特定するためのパワースケーリング対象情報をユーザ端末ＵＥにシグナリングすることにある。これにより、ユーザ端末ＵＥがパワースケーリングを適用すべきＴＡＧ等を、基地局装置ｅＮＢにおいて規定できるので、ネットワーク運用の自由度を上げることができる。基地局装置ｅＮＢは通信環境（セル構成、キャリアアグリゲーション状況、伝送品質、トラフィック、送信電力、トランスポートブロックサイズ等）を考慮して、上りリンク伝送品質の劣化が抑制されるように、パワースケーリングを適用するＴＡＧ（又はセル、ＣＣ、上り物理チャネル）を柔軟に規定できる。
【００２０】
図１に示すネットワーク構成を参照して具体的に説明する。
ユーザ端末ＵＥは、第１セルとしてのマクロセル（基地局装置ｅＮＢ）に接続すると共に、第２セルとしてのローパワーセル（小電力ノードＬＰＮ）に接続している。なお、本発明において、第１セルがマクロセルで第２セルがローパワーセルであることは必須要件ではない。また、本発明はユーザ端末が同時接続可能なセル数は２セルに限定されない。基地局装置ｅＮＢと小電力ノードＬＰＮとはバックホールリンクを介して接続されており、基地局装置ｅＮＢから小電力ノードＬＰＮを制御している。小電力ノードＬＰＮは、基地局装置ｅＮＢからバックホールリンクを介してユーザ端末ＵＥとの通信に必要な情報（例えば、ＴＡＧ情報）を受け取る。
【００２１】
基地局装置ｅＮＢは、キャリアアグリゲーションによってユーザ端末ＵＥに対して複数のコンポーネントキャリアＣＣ＃１、ＣＣ＃２を割当てると共に、一方のコンポーネントキャリアＣＣ＃１をマクロセルに割当て、もう一方のコンポーネントキャリアＣＣ＃２をローパワーセルに割り当てるように、セル構成をユーザ端末ＵＥに指示する。また、基地局装置ｅＮＢは、ユーザ端末ＵＥに複数のコンポーネントキャリアを割り当て、複数のセルに同時接続するようにセル構成した場合は、ユーザ端末ＵＥに割り当てた複数のコンポーネントキャリアをＴＡＧに分類し、ＴＡＧ毎の送信タイミングの制御を行う。図１に示される例では、マクロセルに割り当てられたＣＣ＃１はＴＡＧ＃１に分類され、ローパワーセルに割り当てられたＣＣ＃２はＴＡＧ＃２に分類されている。
【００２２】
ユーザ端末ＵＥは、複数のコンポーネントキャリアＣＣ＃１、ＣＣ＃２を介して、上り物理制御チャネル、上り物理データチャネルを送信することができる。具体的には、ユーザ端末ＵＥは、マクロセル（ＴＡＧ＃１、ＣＣ＃１）の通信では上りリンクのサブフレームの送信タイミングを送信タイミングＴ１に制御し、ローパワーセル（ＴＡＧ＃２、ＣＣ＃２）の通信では上りリンクのサブフレームの送信タイミングを送信タイミングＴ２に制御する。このとき、ＴＡＧ＃１とＴＡＧ＃２とで上りリンクの送信タイミング（Ｔ１、Ｔ２）が異なるので、ＰＯ区間が生じる（図４参照）。
【００２３】
基地局装置ｅＮＢは、ユーザ端末ＵＥにおいてパワースケーリングが適用されるＴＡＧを明示的に規定する。例えば、パワースケーリングが適用されるＴＡＧを決定するために伝送品質を判断規範にすることができる。例えば、ＴＡＧ＃１（ＣＣ＃１）の伝送品質が劣化すると無線通信に大きな支障を生じるが、ＴＡＧ＃２（ＣＣ＃２）の伝送品質が劣化しても回復可能である通信環境を想定する。この場合、基地局装置ｅＮＢは、ＴＡＧ＃２（ＣＣ＃２）をパワースケーリングが適用されるＴＡＧに規定することができる。又は、パワースケーリングが適用されるＴＡＧを決定するためにトラフィックを判断規範にすることができる。例えば、ＴＡＧ＃１（ＣＣ＃１）のトラフィックが非常に低く、ＴＡＧ＃２（ＣＣ＃２）のトラフィックを高い値に維持する場合を想定する。この場合、基地局装置ｅＮＢは、ＴＡＧ＃１（ＣＣ＃１）をパワースケーリングが適用されるＴＡＧに規定することができる。伝送品質、トラフィックを判断規範にすることにより、上りリンク伝送品質の劣化を抑制するように、ＰＯ区間にパワースケーリングを適用できる。
【００２４】
また、基地局装置ｅＮＢは、セル構成を判断規範にして、ユーザ端末ＵＥにおいてパワースケーリングが適用されるＴＡＧを明示的に規定しても良い。キャリアアグリゲーションは、複数のコンポーネントキャリアを用いた複数セルによる通信である。複数セル（コンポーネントキャリア）が異なる２種類のセルとして定義され、１つのセルがプライマリセル（Ｐｃｅｌｌ）と定義され、その他のセルがセカンダリセル（Ｓｃｅｌｌ）と定義されても良い。基地局装置ｅＮＢは、キャリアアグリゲーションを適用するユーザ端末ＵＥに対してプライマリセルとセカンダリセルの設定を独立に行う。プライマリセルは、必ず１つの下りリンクコンポーネントキャリアと１つの上りリンクコンポーネントキャリアのセット（組み合わせ）から構成される。セカンダリセルは、少なくとも１つの下りリンクコンポーネントキャリアから構成され、上りリンクコンポーネントキャリアが構成される場合と構成されない場合がある。ここでは、セカンダリセルにおいても上りリンクコンポーネントキャリアが構成される。
【００２５】
今、図１に示すＨｅｔＮｅｔにおいて、プライマリセル（ＴＡＧ＃１、ＣＣ＃１）を制御信号用とし、セカンダリセル（ＴＡＧ＃２、ＣＣ＃２）をデータ伝送用として運用する場合を想定する。Ｒｅｌ．１０−ＬＴＥでは、コンポーネントキャリア単位での上りリンク物理チャネル構成は次のように規定されている。上りリンク物理チャネルとして、物理ランダムアクセスチャネル(PRACH)、物理上り制御チャネル（PUCCH）、物理上り共有チャネル（PUSCH）、チャネル品質測定用の参照信号(SRS: Sounding Reference Signal)が規定されている。PRACHは、ユーザ端末からネットワークへの初期アクセス時に使用される。ユーザ端末は、セルサーチで検出した下りのコンポーネントキャリアから必要な報知情報として、PRACHのパラメータ（周波数位置，サブフレーム位置，Zadoff-Chu系列番号等）、上りのコンポーネントキャリアの情報（中心周波数，帯域幅等）等を受信し、下りに対応する上りのコンポーネントキャリアでPRACHを送信する。PUCCHは、帯域の両端に多重（サブフレーム内周波数ホッピングを適用）され、下りリンクの送信信号に対する応答信号（response）であるＡＣＫ／ＮＡＣＫ、ＣＱＩ（Channel Quality indicator）レポート、スケジューリングリクエストを運ぶ。ＣＱＩとは受信したデータの品質、もしくは通信路品質を示す品質情報である。PUSCHは、ＵＬ−ＳＣＨ（トランスポートチャネルの１つである上り共有チャネル）がマッピングされる。
【００２６】
基地局装置ｅＮＢは、セル構成を判断規範にする一例として、パワースケーリングを適用するセル（プライマリセルまたはセカンダリセル）を明示的に規定する。例えば、基地局装置ｅＮＢは、第１セルが制御信号用、第２セルがデータ伝送用として運用され、第１セルに含まれるコンポーネントキャリアが第１タイミンググループに分類され、第２セルに含まれるコンポーネントキャリアが第２タイミンググループに分類される場合、第１タイミンググループの物理上り制御チャネル（PUCCH）、第２タイミンググループの物理上り共有チャネル（PUSCH）及び又はチャネル品質測定用の参照信号(SRS)が、パワースケーリングが適用される物理チャネルとして明示的に規定される。
【００２７】
制御信号用のプライマリセル（ＴＡＧ＃１、ＣＣ＃１）がパワースケーリング対象となれば、プライマリセル（ＴＡＧ＃１、ＣＣ＃１）における制御信号（ＰＵＣＣＨ）の送信電力が減少する。また、データ伝送用のセカンダリセル（ＴＡＧ＃２、ＣＣ＃２）がパワースケーリング対象となれば、セカンダリセルにおけるデータ信号（ＰＵＳＣＨ）の送信電力が減少する。パワースケーリングを適用するセル（プライマリセルまたはセカンダリセル）をユーザ端末ＵＥに通知するので、ＨｅｔＮｅＴ環境下においてセル単位のシグナリングで、制御信号（ＰＵＣＣＨ）又はデータ信号（ＰＵＳＣＨ）をパワースケーリングできる。
【００２８】
また、基地局装置ｅＮＢは、セル構成を判断規範にする一例として、セルに物理チャネルを紐づけて、パワースケーリングを適用するセルを明示的に規定しても良い。具体的には、制御信号用のプライマリセル（ＴＡＧ＃１、ＣＣ＃１）がパワースケーリング対象となれば、プライマリセルにおけるデータ信号（ＰＵＳＣＨ）がパワースケーリングされるように規定され、同様に、データ伝送用のセカンダリセル（ＴＡＧ＃２、ＣＣ＃２）がパワースケーリング対象となれば、セカンダリセルにおける制御信号（ＰＵＣＣＨ）がパワースケーリングされるように規定されても良い。これにより、パワースケーリングを適用するセル（プライマリセルまたはセカンダリセル）をユーザ端末ＵＥに通知することで、物理チャンネル単位のパワースケーリングが実現される。
【００２９】
基地局装置ｅＮＢは、パワースケーリングを適用する物理チャネルを物理チャネル単位で明示的に規定する。例えば、プライマリセル（ＴＡＧ＃１、ＣＣ＃１）ではＰＲＡＣＨ及びＰＵＣＣＨの伝送品質をＰＵＳＣＨよりも優先し、またセカンダリセル（ＴＡＧ＃２、ＣＣ＃２）ではＰＵＳＣＨ及びＳＲＳの伝送品質をＰＵＣＣＨよりも優先することを想定する。この場合、基地局装置ｅＮＢは、ＴＡＧ＃１（ＣＣ＃１）のＰＵＳＣＨをパワースケーリングが適用される対象に明示的に規定し、ＴＡＧ＃２（ＣＣ＃２）のＰＵＣＣＨをパワースケーリングが適用される対象に明示的に規定する。
【００３０】
基地局装置ｅＮＢは、上述したいずれかの方法で規定した、パワースケーリング対象となるＴＡＧ（又はセル、ＣＣ、上り物理チャネル）を、上位レイヤシグナリングによってユーザ端末ＵＥへ通知する。これにより、パワースケーリングを適用するＴＡＧ（又はセル、ＣＣ、上り物理チャネル）をシグナリングすることにより増加するオーバーヘッドを最小限に抑制できる。
【００３１】
ユーザ端末ＵＥは、パワースケーリングを適用するＴＡＧ（又はセル、ＣＣ、上り物理チャネル、パケット）が、基地局装置ｅＮＢから下りリンクで通知される。ユーザ端末ＵＥは、ＭＴＡが適用された状態で、トータル送信電力が上限規定を超える場合には、予め通知されたＴＡＧ（又はセル、ＣＣ、上り物理チャネル）に対してパワースケーリングを適用して送信電力を減少させる。
【００３２】
ユーザ端末ＵＥは、複数セルに接続されている状態において、パワースケーリングを適用するＴＡＧが通知されていると仮定する。この場合、ユーザ端末ＵＥに対してＭＴＡが適用されていて、ＰＯ区間においてトータル送信電力が上限規定を超える場合に、予め通知されたＴＡＧに含まれたＣＣの送信電力を減少させる。
【００３３】
また、ユーザ端末ＵＥは、プライマリセルとセカンダリセルに接続されている状態において、パワースケーリングを適用するセルとして例えばプライマリセル（またはセカンダリセル）が通知されていると仮定する。この場合、ユーザ端末ＵＥに対してＭＴＡが適用されていて、ＰＯ区間においてトータル送信電力が上限規定を超える場合に、予め通知されたプライマリセル（又はセカンダリセル）の送信電力を減少させる。
【００３４】
また、ユーザ端末ＵＥは、予めセルに物理チャネルが紐づけられた情報を取得していて、パワースケーリングを適用するセルが基地局装置ｅＮＢから通知される。例えば、制御信号用のプライマリセル（ＴＡＧ＃１、ＣＣ＃１）がパワースケーリング対象となれば、プライマリセルにおけるデータ信号（ＰＵＳＣＨ）がパワースケーリングされるように規定されているとする。ユーザ端末ＵＥは、ＰＯ区間においてトータル送信電力が上限規定を超える場合、予めプライマリセル（ＴＡＧ＃１、ＣＣ＃１）がパワースケーリングの対象として通知されていれば、プライマリセルのＰＵＳＣＨの送信電力を減少させる。又は、データ伝送用のセカンダリセル（ＴＡＧ＃２、ＣＣ＃２）がパワースケーリング対象となれば、セカンダリセルにおける制御信号（ＰＵＣＣＨ）がパワースケーリングされるように規定されているとする。ユーザ端末ＵＥは、ＰＯ区間においてトータル送信電力が上限規定を超える場合、予めセカンダリセル（ＴＡＧ＃２、ＣＣ＃２）がパワースケーリングの対象として通知されていれば、セカンダリセルのＰＵＣＣＨの送信電力を減少させる。
【００３５】
また、基地局装置ｅＮＢがＴＡＧ＃１（ＣＣ＃１）のＰＵＳＣＨをパワースケーリングが適用される対象に明示的に規定し、ＴＡＧ＃２（ＣＣ＃２）のＰＵＣＣＨをパワースケーリングが適用される対象に明示的に規定している場合、ユーザ端末ＵＥは、この規定されたパワースケーリング対象情報が基地局装置ｅＮＢから通知される。この場合、ユーザ端末ＵＥは、ＰＯ区間においてトータル送信電力が上限規定を超える場合に、予め通知された物理チャネルの送信電力を減少させる。例えば、ＴＡＧ＃１（ＣＣ＃１）のＰＵＳＣＨをパワースケーリングが適用される対象に規定されていれば、ＴＡＧ＃１（ＣＣ＃１）のＰＵＳＣＨの送信電力を減少させる。
【００３６】
また、上記したパワースケーリングの適用方法と以下に示すいずれかの方法Ａ，Ｂとを組み合わせても良い。
【００３７】
パワースケーリング方法Ａは、上りリンク物理チャネル(PUSCH/PUCCH/PRACH/SRS)毎の優先度に基づいて、物理チャネル毎にパワースケーリングを適用する。例えば、PRACH > PUCCH > PUSCH > SRSの優先度に規定する。
【００３８】
パワースケーリング方法Ｂは、プライマリセルをセカンダリセルよりも優先してパワースケーリングを適用する。
【００３９】
本発明の別の側面は、パワースケーリングを適用するＴＡＧ等を暗示的に規定することにより、シグナリングを行わずに、伝送品質を保つ方法を提供する。以下に、具体的なパワースケーリング方法（１）から（５）を説明する。
【００４０】
（１）ユーザ端末ＵＥは、送信電力の大きいＴＡＧにパワースケーリングが適用されるように規定されても良い。これにより、送信電力の小さいＴＡＧにパワースケーリングが適用される確率が下がり、送信電力の小さいＴＡＧに割り当てる電力が著しく減少することによる大幅な品質劣化を防止できる。
【００４１】
ユーザ端末ＵＥは、複数セルに接続されている状態において、上りリンクにおいて複数の接続セルに対して複数の送信タイミングを実現するＭＴＡが適用されている場合を想定する。ユーザ端末ＵＥは、基地局装置ｅＮＢから割り当てられているコンポーネントキャリアに関するＴＡＧ構成（コンポーネントキャリア番号とＴＡＧ番号との対応情報等）が通知される。
【００４２】
今、図５に示すように、ユーザ端末ＵＥの上りリンクに割り当てられた複数のコンポーネントキャリアが、ＴＡＧ＃１とＴＡＧ＃２に分類されている。パワースケーリング適用前の段階において、ＴＡＧ＃１の送信電力がＴＡＧ＃２の送信電力よりも大きい状態が示されている。
【００４３】
ユーザ端末ＵＥは、ＰＯ区間において上りリンクでのトータル送信電力が上限規定を超える場合、送信電力のより大きいＴＡＧ＃１に対してパワースケーリングを適用する。その結果、図５に示すようにＴＡＧ＃１の送信電力が減少してトータル送信電力が上限規定以下に抑えられる。このとき、パワースケーリングが適用されないＴＡＧ＃２の送信電力は維持される。
【００４４】
（２）ユーザ端末ＵＥは、トランスポートブロックサイズ（伝送ビット数）の小さいＰＵＳＣＨにパワースケーリングを適用するように規定されても良い。これにより、小サイズのトランスポートブロックがパワースケーリングにより品質劣化を防止でき、サイズの大きいトランスポートブロックの品質を劣化させるのに比べて、再送時のオーバーヘッドを低減できる。
【００４５】
ＬＴＥでは、上りリンクトランスポートチャネル（例えばＵＬ−ＳＣＨ）上のデータは、あるサイズのトランスポートブロックに編成される。各サブフレーム（送信時間間隔：ＴＴＩ）において、トランスポートブロックがユーザ端末ＵＥと基地局装置ｅＮＢとの間を無線インタフェース上で送信される。トランスポートブロックはコードワードに分割されて物理チャネルにより伝送される。１アンテナ送信の場合、大きさが可変の１つのトランスポートブロックがＴＴＩ毎に送信される。複数アンテナ送信の場合、最大で２つの大きさ可変のトランスポートブロックがＴＴＩ毎に送信される。トランスポートブロックサイズは、トランスポートブロックに付随したトランスポートフォーマットに規定される。トランスポートフォーマットは、トランスポートブロックサイズの他に、変調方式及びアンテナマッピングが規定される。
【００４６】
ユーザ端末ＵＥは、第１セルと第２セルに接続されていて、ＰＯ区間において上りリンクでのトータル送信電力が上限規定を超える場合、第１セルのＰＵＳＣＨに割り当てられたトランスポートブロックと第２セルのＰＵＳＣＨに割り当てられたトランスポートブロックとの間で、トランスポートブロックサイズの小さいＰＵＳＣＨにパワースケーリングを適用する。
【００４７】
（３）ユーザ端末ＵＥは、合計割当て帯域幅の小さいＴＡＧにパワースケーリングが適用されるように規定されても良い。これにより、消費する周波数帯域幅を低減できる。
【００４８】
１つのＴＡＧには１つまたは複数のコンポーネントキャリアが分類されるので、ＴＡＧ間で合計割当て帯域幅が異なる可能性がある。例えば、ＴＡＧ＃１は１つのコンポーネントキャリアＣＣ＃１だけが割り当てられ、ＴＡＧ＃２は２つのコンポーネントキャリアＣＣ＃２、ＣＣ＃３が割り当てられる。
【００４９】
ユーザ端末ＵＥは、複数セルに接続されている状態において、上りリンクにおいて複数の接続セルに対して複数の送信タイミングを実現するＭＴＡが適用されている場合を想定する。ユーザ端末ＵＥは、基地局装置ｅＮＢから割り当てられているコンポーネントキャリアに関するＴＡＧ構成（コンポーネントキャリア番号とＴＡＧ番号との対応情報等）が通知される。ユーザ端末ＵＥは、ＰＯ区間において上りリンクでのトータル送信電力が上限規定を超える場合、合計帯域幅の小さいＴＡＧ＃１に対してパワースケーリングを適用する。
【００５０】
（４）ユーザ端末ＵＥは、上りリンクの新規パケットにパワースケーリングが適用されるように規定されても良い。これにより、上りリンク再送パケットの送信電力を減少させると再度受信エラーが発生して遅延が累積する可能性があるが、新規パケットの送信電力を減少させるので再送が発生しても遅延時間を最小減に抑えることができる。
【００５１】
上記したように、上りリンクコンポーネントキャリアそれぞれには、PUCCH、PUSCH等の上りリンクのチャネルが配置される。ユーザ端末ＵＥは、ＰＵＣＣＨおよび／またはＰＵＳＣＨを使用して、下りリンクのチャネル状態を示すチャネル状態情報（CSI: Channel Statement information）や、下りリンクトランスポートブロックに対するハイブリッドＡＲＱにおけるＡＣＫ／ＮＡＣＫ（肯定応答：Positive Acknowledgement／否定応答：Negative Acknowledgement）を示す情報や、スケジューリング要求（SR: Scheduling Request）などの上りリンク制御情報（UCI: Uplink Control Information）を基地局装置ｅＮＢへ送信する。
【００５２】
ＬＴＥでは、損失したあるいは誤りの生じたデータの再送は、まずＭＡＣレイヤのハイブリッドＡＲＱで処理され、この処理でも回復できない場合にＲＬＣの再送プロトコルで扱われる。ハイブリッドＡＲＱは再送を迅速に行うことを目的としているため、復号処理結果のフィードバックは毎回の送信に対して行われる。基地局装置ｅＮＢとユーザ端末ＵＥとのそれぞれにハイブリッドＡＲＱエンティティがり、各ハイブリッドＡＲＱエンティティはハイブリッドＡＲＱプロセスからなっている。受信側は、ハイブリッドＡＲＱプロセスに向けたトランスポートブロックを受信すると、ブロックの復号を試みてその結果、すなわちブロックが正しく受信されたか否かをＡＣＫ／ＮＡＣＫを通じて送信側に通知する。
【００５３】
上りリンクでは、再送を行うサブフレームが常に判っている。ＦＤＤの場合、データの送信試行が行われてから８サブフレーム後に再送が行われる。上りリンクで再送すべきか否かの制御は、ＰＤＣＣＨにより送られる上りリンクへのスケジューリンググラントに含まれる新データ指標（ＮＤＩ）によって行われる。新データ指標は送信される各トランスポートブロックに対して個別に設定される。ユーザ端末ＵＥは、ＰＤＣＣＨに含まれる新データ指標に基づいて新規パケット送信か否かを判断できる。
【００５４】
ユーザ端末ＵＥは、第１セルと第２セルに接続されていて、ＰＯ区間において上りリンクでのトータル送信電力が上限規定を超える場合、上りリンクの新規パケットにパワースケーリングを適用して上りリンクの送信電力を減少させる。
【００５５】
（５）ユーザ端末ＵＥは、再送パケットにパワースケーリングが適用されるように規定されても良い。これにより、再送パケットが新規パケットよりも優先的にパワースケーリングが適用されるので、新規パケットの再送確率を低減できる。
【００５６】
（６）上記（１）から（５）のいずれかの方法と、上記パワースケーリング方法Ａ，Ｂと組み合わせても良い。
例えば、ユーザ端末ＵＥは、送信電力の大きいＴＡＧにパワースケーリングを適用する場合、PRACH > PUCCH > PUSCH > SRSの優先順位で上りリンク物理チャネル毎にパワースケーリングを適用する。また、ユーザ端末ＵＥは、送信電力の大きいＴＡＧにパワースケーリングを適用する場合、ＰｃｅｌｌをＳｃｅｌｌよりも優先してするパワースケーリングを適用する。
【００５７】
次に、上述した無線通信方法が適用される基地局装置及びユーザ端末の実施例について説明する。以下、ＬＴＥ及びＬＴＥ−Ａを対象とした無線アクセスシステムを例に説明するが、それ以外のシステムへの適用を制限するものではない。
【００５８】
図６は、本発明の一実施の形態に係る無線通信方法が適用される移動通信システムのネットワーク構成図である。無線通信システム１は、基地局装置２０Ａ，２０Ｂと、この基地局装置２０Ａ，２０Ｂと通信する複数の第１、第２の移動局装置１０Ａ，１０Ｂとを含んで構成されている。基地局装置２０Ａ，２０Ｂは、上位局装置３０と接続され、この上位局装置３０は、コアネットワーク４０と接続される。また、基地局装置２０Ａ，２０Ｂは、有線接続又は無線接続により相互に接続されている。第１、第２の移動局装置１０Ａ，１０Ｂは、セルＣ１，Ｃ２において基地局装置２０Ａ，２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。
【００５９】
第１、第２の移動局装置１０Ａ，１０Ｂは、ＬＴＥ端末及びＬＴＥ−Ａ端末を含むが、以下においては、特段の断りがない限り移動局装置１０として説明を進める。また、説明の便宜上、基地局装置２０Ａ，２０Ｂと無線通信するのは第１、第２の移動局装置１０Ａ，１０Ｂであるものとして説明するが、より一般的には移動端末装置も固定端末装置も含むユーザ装置（ＵＥ）でよい。
【００６０】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００６１】
ここで、Ｅｖｏｌｖｅｄ  ＵＴＲＡ  ａｎｄ  ＵＴＲＡＮにおける通信チャネルについて説明する。下りリンクについては、各移動局装置１０で共有される物理下りリンク共有チャネル（ＰＤＳＣＨ：Physical  Downlink  Shared  Channel）と、下りリンクの制御チャネルである物理下りリンク制御チャネル(ＰＤＣＣＨ：Physical  Downlink  Control  Channel、下りＬ１／Ｌ２制御チャネルともいう)とが用いられる。上記物理下りリンク共有チャネルにより、ユーザデータ、すなわち、通常のデータ信号が伝送される。また、物理下りリンク制御チャネルにより、上りリンクＭＩＭＯ伝送のためのプリコーディング情報、物理下りリンク共有チャネルを用いて通信を行うユーザＩＤや、そのユーザデータのトランスポートフォーマットの情報（すなわち、Downlink  Scheduling  Information）、並びに、物理上りリンク共有チャネルを用いて通信を行うユーザＩＤや、そのユーザデータのトランスポートフォーマットの情報（すなわち、Uplink  Scheduling  Grant）などがフィードバックされる。
【００６２】
また、下りリンクにおいては、Ｐ−ＢＣＨ（Physical-Broadcast  Channel）やＤ−ＢＣＨ（Dynamic  Broadcast  Channel）等の報知チャネルが送信される。Ｐ−ＢＣＨにより伝送される情報は、ＭＩＢ（Master  Information  Block）であり、Ｄ−ＢＣＨにより伝送される情報は、ＳＩＢ（System  Information  Block）である。Ｄ−ＢＣＨは、ＰＤＳＣＨにマッピングされて、基地局装置２０より移動局装置１０に伝送される。
【００６３】
上りリンクについては、各移動局装置１０で共有して使用される物理上りリンク共有チャネル（ＰＵＳＣＨ）と、上りリンクの制御チャネルである物理上りリンク制御チャネル（ＰＵＣＣＨ）とが用いられる。物理上りリンク共有チャネルにより、ユーザデータ、すなわち、通常のデータ信号が伝送される。また、物理上りリンク制御チャネルにより、下りリンクＭＩＭＯ伝送のためのプリコーディング情報、下りリンクの共有チャネルに対する送達確認情報や、下りリンクの無線品質情報（ＣＱＩ）等が伝送される。
【００６４】
また、上りリンクにおいては、初期接続等のための物理ランダムアクセスチャネル（ＰＲＡＣＨ）が定義されている。移動局装置１０は、ＰＲＡＣＨにおいて、ランダムアクセスプリアンブルを基地局装置２０に送信するものとなっている。
【００６５】
図７を参照しながら、本実施の形態に係る基地局装置の全体構成について説明する。なお、基地局装置２０Ａ，２０Ｂは、基本的には同様な構成であるため、基地局装置２０として説明する。また、第１、第２の移動局装置１０Ａ，１０Ｂも、同様な構成であるため、移動局装置１０として説明する。
【００６６】
基地局装置２０は、ＭＩＭＯ伝送のための複数の送受信アンテナ２０２ａ、２０２ｂ…と、アンプ部２０４ａ、２０４ｂ…と、送受信部２０６ａ、２０６ｂ…と、ベースバンド信号処理部２０８と、呼処理部２１０と、伝送路インターフェース２１２とを備えている。なお、送受信アンテナ２０２ａ、２０２ｂ…は、例えば８本であり、アンプ部２０４ａ、２０４ｂ…及び送受信部２０６ａ、２０６ｂ…は、アンテナ数に対応した数だけ設けられる。
【００６７】
下りリンクにより基地局装置２０から移動局装置１０に送信されるユーザデータは、基地局装置２０の上位に位置する上位局、例えば、アクセスゲートウェイ装置３０から伝送路インターフェース２１２を介してベースバンド信号処理部２０８に入力される。
【００６８】
ベースバンド信号処理部２０８では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ハイブリッドＡＲＱ（Hybrid  Automatic  Repeat  reQuest）の送信処理、スケジューリング、伝送フォーマット選択、チャネル符号化、逆高速フーリエ変換（ＩＦＦＴ：Inverse  Fast  Fourier  Transform）処理、プリコーディング処理が行われて、送受信部２０６ａ、２０６ｂに転送される。また、物理下りリンク制御チャネルの信号に関しても、チャネル符号化や逆高速フーリエ変換等の送信処理が行われて、送受信部２０６ａ、２０６ｂに転送される。
【００６９】
また、ベースバンド信号処理部２０８は、上述した報知チャネルにより、移動局装置１０に対して、当該セルにおける通信のための制御情報をフィードバックする。当該セルにおける通信のための制御情報には、例えば、上りリンクまたは下りリンクにおけるシステム帯域幅、移動局装置１０に割り当てたリソースブロック情報、ＰＲＡＣＨにおけるランダムアクセスプリアンブルの信号を生成するためのルート系列の識別情報（Root  Sequence  Index）等が含まれる。
【００７０】
送受信部２０６ａ，２０６ｂでは、ベースバンド信号処理部２０８からアンテナ毎にプリコーディングして出力されたベースバンド信号を無線周波数帯に変換する周波数変換処理が施され、その後、アンプ部２０４ａ、２０４ｂで増幅されて送受信アンテナ２０２ａ，２０２ｂより送信される。
【００７１】
一方、上りリンクにより移動局装置１０から基地局装置２０に送信されるデータについては、送受信アンテナ２０２ａ、２０２ｂで受信された無線周波数信号がアンプ部２０４ａ，２０４ｂで増幅され、送受信部２０６ａ、２０６ｂで周波数変換されてベースバンド信号に変換され、ベースバンド信号処理部２０８に入力される。
【００７２】
ベースバンド信号処理部２０８では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース２１２を介してアクセスゲートウェイ装置３０に転送される。
【００７３】
呼処理部２１０は、通信チャネルの設定や解放等の呼処理や、基地局装置２０の状態管理や、無線リソースの管理を行う。
【００７４】
ここで、図８を参照し、本実施の形態に係る基地局装置２０のベースバンド信号処理部２０８の構成について説明する。図８は、本実施の形態に係る基地局装置２０のベースバンド信号処理部２０８の機能ブロック図である。なお、図８においては、説明の便宜上、スケジューラ２３４等の構成を含めている。
【００７５】
受信信号に含まれる参照信号（品質測定用参照信号）は、チャネル品質測定部２２１に入力される。チャネル品質測定部２２１は、移動局装置１０から受信した参照信号の受信状態に基づいて上りリンクのチャネル品質情報（ＣＱＩ）を測定する。一方、ベースバンド信号処理部２０８に入力した受信信号は、受信信号に付加されたサイクリックプレフィックスがＣＰ(Cyclic  Prefix)除去部２２２ａ、２２２ｂで除去された後、高速フーリエ変換部２２４ａ、２２４ｂでフーリエ変換されて周波数領域の情報に変換される。なお、シンボル同期部２２３ａ、２２３ｂは、受信信号に含まれる参照信号から同期タイミングを推定し、その推定結果をＣＰ除去部２２２ａ、２２２ｂに通知する。
【００７６】
周波数領域の情報に変換された受信信号は、サブキャリアデマッピング部２２５ａ、２２５ｂにて周波数領域でデマッピングされる。サブキャリアデマッピング部２２５ａ、２２５ｂは、移動局装置１０でのマッピングに対応してデマッピングする。ここでは、上りリンクで受信した受信信号のうち、サブキャリアデマッピング部２２５ｂに入力される受信信号は、２つの上りデータコードワード＃２、＃３がコンバインされているものとする。周波数領域等化部２２６は、チャネル推定部２２７から与えられるチャネル推定値に基づいて受信信号を等化する。チャネル推定部２２７は、受信信号に含まれる参照信号からコンポーネントキャリア毎にチャネル状態を推定し、周波数領域等化部２２６は、コンポーネントキャリア毎に受信信号（コードワード）を等化する。
【００７７】
逆離散フーリエ変換部（ＩＤＦＴ）２２８ａ、２２８ｂ、２２８ｃは、受信信号を逆離散フーリエ変換して、周波数領域の信号を時間領域の信号に戻す。データ復調部２２９ａ、２２９ｂ、２２９ｃ及びデータ復号部２３０ａ、２３０ｂ、２３０ｃは、コンポーネントキャリア毎の伝送フォーマット（符号化率、変調方式）に基づいて上りユーザデータを再生する。これにより、第１のトランスポートブロックに対応するコードワード＃１の送信データ、第２のトランスポートブロックに対応するコードワード＃２の送信データ、第３のトランスポートブロックに対応するコードワード＃３の送信データが再生される。
【００７８】
再生されたコードワード＃１、＃２、＃３の送信データは、再送情報チャネル選択部２３３に出力される。再送情報チャネル選択部２３３は、コードワード＃１、＃２、＃３の送信データにおける再送の要否（ＡＣＫ／ＮＡＣＫ）を判定する。そして、コードワード＃１、＃２、＃３の送信データにおける再送の要否に基づいて、ＮＤＩ情報やＲＶ情報などの再送関連情報を生成する。また、再送情報チャネル選択部２３３は、再送情報を送信するチャネル（ＰＨＩＣＨ又はＰＤＣＣＨ（ＵＬ  ｇｒａｎｔ））を選択する。
【００７９】
スケジューラ２３４は、チャネル品質測定部２２１から与えられるチャネル品質情報（ＣＱＩ）と、後述するプリコーディングウェイト・ランク数選択部２３５から与えられるＰＭＩ情報及びＲＩ情報とに基づいて、上下リンクのリソース割り当て情報を決定する。
【００８０】
プリコーディングウェイト・ランク数選択部２３５は、チャネル品質測定部２２１から与えられるチャネル品質情報（ＣＱＩ）に基づいて、移動局装置１０に割り当てたリソースブロックでの上りリンクの受信品質から当該移動局装置１０においてアンテナ毎に送信信号の位相及び又は振幅を制御するためのプリコーディングウェイト（ＰＭＩ）を決定する。また、プリコーディングウェイト・ランク数選択部２３５は、チャネル品質測定部２２１から与えられるチャネル品質情報（ＣＱＩ）に基づいて、上りリンクにおける空間多重のレイヤ数を示すランク数（ＲＩ）を決定する。
【００８１】
ＭＣＳ選択部２３６は、チャネル品質測定部２２１から与えられるチャネル品質情報（ＣＱＩ）に基づいて、変調方式・チャネル符号化率（ＭＣＳ）を選択する。
【００８２】
個別ユーザデータ生成部２３７は、アクセスゲートウェイ装置等の上位局装置３０より入力されるユーザデータから、スケジューラ２３４から与えられるリソース割り当て情報に従って移動局装置１０毎の個別の下り送信データ（個別ユーザデータ）を生成する。
【００８３】
本実施の形態では、個別ユーザデータ生成部２３７が、上位局装置より入力される制御信号又はスケジューラ２３４から与えられる情報に意基づいて、移動局装置１０に対してパワースケーリングを適用するＴＡＧを明示的に規定し、パワースケーリングを適用するＴＡＧ等のパワースケーリング対象情報を移動局装置１０にシグナリングする制御部として機能する。パワースケーリングを適用する対象は、ＴＡＧ単位だけでなく、コンポーネントキャリア、上り物理チャネル、またはパケット単位であっても良い。
【００８４】
例えば、移動局装置１０が接続している接続セルの伝送品質及び又はトラフィックを判断規範にすることができる。また、個別ユーザデータ生成部２３７は、セル構成を判断規範にして、移動局装置１０においてパワースケーリングが適用されるＴＡＧを明示的に規定しても良い。また、個別ユーザデータ生成部２３７は、パワースケーリングを適用する上りリンクの物理チャネルを物理チャネル単位で明示的に規定してもよい。例えば、プライマリセル（ＴＡＧ＃１、ＣＣ＃１）ではＰＲＡＣＨ及びＰＵＣＣＨの伝送品質をＰＵＳＣＨよりも優先し、またセカンダリセル（ＴＡＧ＃２、ＣＣ＃２）ではＰＵＳＣＨ及びＳＲＳの伝送品質をＰＵＣＣＨよりも優先する。この場合、基地局装置２０は、ＴＡＧ＃１（ＣＣ＃１）のＰＵＳＣＨをパワースケーリングが適用される対象に明示的に規定し、ＴＡＧ＃２（ＣＣ＃２）のＰＵＣＣＨをパワースケーリングが適用される対象に明示的に規定する。
【００８５】
また、第１セルとしてのセルＣ１が制御信号用、第２セルとしてのセルＣ２がデータ伝送用として運用され、第１セルＣ１に含まれるコンポーネントキャリアが第１タイミンググループに分類され、第２セルＣ２に含まれるコンポーネントキャリアが第２タイミンググループに分類される場合、第１タイミンググループのPUCCH、第２タイミンググループのPUSCH及び又はSRSが、パワースケーリングが適用される物理チャネルとして明示的に規定される。
【００８６】
個別ユーザデータ生成部２３７は、上述したいずれかの方法で明示的に規定した、パワースケーリングを適用するＴＡＧ（セル、ＣＣ、上り物理チャネル、又はパケット）を、上位レイヤシグナリングによって移動局装置１０に通知するためのユーザデータを生成する。
【００８７】
ＵＬ  ｇｒａｎｔ情報生成部２３８は、再送情報チャネル選択部２３３から与えられるＡＣＫ／ＮＡＣＫ情報及び再送関連情報（ＮＤＩ情報、ＲＶ情報）、スケジューラ２３４から与えられるリソース割り当て情報、プリコーディングウェイト・ランク数選択部２３３から与えられるＰＭＩ及びＲＩ情報、並びに、ＭＣＳ選択部２３６から与えられるＭＣＳ情報に基づいて、上述したＵＬ  ｇｒａｎｔを含むＤＣＩフォーマットを生成する。
【００８８】
ＰＨＩＣＨ信号生成部２３９は、再送情報チャネル選択部２３３から与えられるＡＣＫ／ＮＡＣＫ情報及び再送関連情報（ＮＤＩ情報、ＲＶ情報）に基づいて、移動局装置１０に対してトランスポートブロックを再送すべきか否かを示すためのハイブリッドＡＲＱの確認応答を含むＰＨＩＣＨ信号を生成する。
【００８９】
ＰＤＳＣＨ信号生成部２４０は、個別ユーザデータ生成部２３７で生成された下り送信データ（個別ユーザデータ）に基づいて、物理下り共有チャネル（ＰＤＳＣＨ）で実際に送信する下り送信データを生成する。ＰＤＣＣＨ信号生成部２４１は、ＵＬ  ｇｒａｎｔ情報生成部２３８で生成されたてＵＬ  ｇｒａｎｔを含むＤＣＩフォーマットに基づいて、物理下り制御チャネルに多重するＰＤＣＣＨ信号を生成する。
【００９０】
これらのＰＨＩＣＨ信号生成部２３９、ＰＤＳＣＨ信号生成部２４０及びＰＤＣＣＨ信号生成部２４１で生成されたＰＨＩＣＨ信号、ＰＤＳＣＨ信号及びＰＤＣＣＨ信号がＯＦＤＭ変調部２４２に入力される。ＯＦＤＭ変調部２４２は、これらのＰＨＩＣＨ信号、ＰＤＳＣＨ信号及びＰＤＣＣＨ信号を含んだ２系列の信号にＯＦＤＭ変調処理を施し、送受信部２０６ａ、２０６ｂへ送出する。
【００９１】
このように基地局装置２０においては、移動局装置１０に対してパワースケーリングを適用するＴＡＧ（又はＣＣ、上り物理チャネル、パケット）を明示的に規定し、パワースケーリングを適用するＴＡＧ等のパワースケーリング対象情報を移動局装置１０に上位レイヤシグナリングする。これにより、移動局装置１０がパワースケーリングを適用すべきＴＡＧ等を、基地局装置２０において規定できるので、ネットワーク運用の自由度を上げることができる。基地局装置２０は通信環境（セル構成、キャリアアグリゲーション状況、伝送品質、トラフィック、送信電力、トランスポートブロックサイズ、パケット種別等）を考慮して、パワースケーリングを適用するＴＡＧ（又はセル、ＣＣ、上り物理チャネル、パケット）を柔軟に規定でき、パワースケーリングを適用することによる上りリンク伝送品質の劣化を抑制できる。また、パワースケーリング対象情報を上位レイヤシグナリングによって移動局装置１０に通知するので、オーバーヘッドを低減することができる。
【００９２】
次に、図９を参照しながら、本実施の形態に係る移動局装置１０の構成について説明する。本実施の形態に係る移動局装置１０は、図９に示すように、ＭＩＭＯ伝送のための２つの送受信アンテナ１０２ａ、１０２ｂと、アンプ部１０４ａ、１０４ｂと、送受信部１０６ａ、１０６ｂと、ベースバンド信号処理部１０８と、アプリケーション部１１０とを備えている。
【００９３】
下りリンクのデータについては、２つの送受信アンテナ１０２ａ、１０２ｂで受信された無線周波数信号がアンプ部１０４ａ、１０４ｂで増幅され、送受信部１０６ａ、１０６ｂで周波数変換されてベースバンド信号に変換される。このベースバンド信号は、ベースバンド信号処理部１０８でＦＦＴ処理や、誤り訂正復号、再送制御の受信処理等がなされる。このような下りリンクのデータのうち、下りリンクのユーザデータは、アプリケーション部１１０に転送される。アプリケーション部１１０は、物理レイヤやＭＡＣレイヤより上位のレイヤに関する処理等を行う。また、下りリンクのデータのうち、報知情報も、アプリケーション部１１０に転送される。
【００９４】
一方、上りリンクのユーザデータについては、アプリケーション部１１０からベースバンド信号処理部１０８に入力される。ベースバンド信号処理部１０８では、再送制御（ハイブリッドＡＲＱ：Hybrid  ARQ）の送信処理や、チャネル符号化、プリコーディング、ＤＦＴ処理、ＩＦＦＴ処理等が行われて送受信部１０６ａ、１０６ｂに転送される。送受信部１０６ａ、１０６ｂでは、ベースバンド信号処理部１０８から出力されたベースバンド信号を無線周波数帯に変換する周波数変換処理が施され、その後、アンプ部１０４ａ、１０４ｂで増幅されて送受信アンテナ１０２ａ、１０２ｂより送信される。
【００９５】
図１０はベースバンド信号処理部１０８の構成を示すブロック図である。ベースバンド信号処理部１０８は、レイヤ１処理部１０８１と、ＭＡＣ処理部１０８２と、ＲＬＣ処理部１０８３と、送信電力設定部１０８４と、ＴＰＣコマンド受信処理部１０８５と、ＴＰＣコマンドフォーマット受信処理部１０８６とから主に構成されている。
【００９６】
レイヤ１処理部１０８１は、主に物理レイヤに関する処理を行う。レイヤ１処理部１０８１は、例えば、下りリンクで受信した信号に対して、チャネル復号化、離散フーリエ変換、周波数デマッピング、逆フーリエ変換、データ復調などの処理を行う。また、レイヤ１処理部１０８１は、上りリンクで送信する信号に対して、チャネル符号化、データ変調、周波数マッピング、逆フーリエ変換（ＩＦＦＴ）などの処理を行う。
【００９７】
ＭＡＣ処理部１０８２は、下りリンクで受信した信号に対するＭＡＣレイヤでの再送制御（ハイブリッドＡＲＱ）、下りスケジューリング情報の解析（ＰＤＳＣＨの伝送フォーマットの特定、ＰＤＳＣＨのリソースブロックの特定）などを行う。また、ＭＡＣ処理部１０８２は、上りリンクで送信する信号に対するＭＡＣ再送制御、上りスケジューリング情報の解析（ＰＵＳＣＨの伝送フォーマットの特定、ＰＵＳＣＨのリソースブロックの特定）などの処理を行う。
【００９８】
ＲＬＣ処理部１０８３は、下りリンクで受信したパケット／上りリンクで送信するパケットに対して、パケットの分割、パケットの結合、ＲＬＣレイヤでの再送制御などを行う。
【００９９】
ＴＰＣコマンド受信処理部１０８５は、基地局装置２０から通知されるＴＰＣコマンドを受信し、そのＴＰＣコマンドの内容を判定する。ＴＰＣコマンド受信処理部１０８５は、ＴＰＣコマンドフォーマット受信処理部１０８６で受信したＴＰＣコマンドフォーマットに基づいてＴＰＣコマンドの内容を判定する。ＴＰＣコマンドの情報は、送信電力設定部１０８４に送られる。
【０１００】
ＴＰＣコマンドフォーマット受信処理部１０８６は、無線基地局装置から通知されるＴＰＣコマンドフォーマットの信号を受信する。ＴＰＣコマンドフォーマット受信処理部１０８６は、上りリンクＭＵ−ＭＩＭＯ伝送時においては、ビット数が拡張された（例えば、３ビット）のＴＰＣコマンドフォーマットの信号を受信する。また、ＴＰＣコマンドフォーマット受信処理部１０８６は、上りリンクＭＵ−ＭＩＭＯ伝送でない場合には、ＬＴＥシステムで規定されたＴＰＣコマンドフォーマットの信号を受信する。ＴＰＣコマンドフォーマットの情報は、送信電力設定部１０８４に送られる。
【０１０１】
送信電力設定部１０８４は、送信電力制御用情報（ＴＰＣコマンドフォーマット及びＴＰＣコマンド）を用いて送信電力の設定を行う。移動局装置１０は、パワースケーリングを適用するＴＡＧ（又はセル、ＣＣ、上り物理チャネル、パケット）が、基地局装置２０から下りリンクで通知される。送信電力設定部１０８４は、ＭＴＡが適用された状態で、トータル送信電力が規定上限値を超える場合には、予め通知されたＴＡＧ（セル、ＣＣ、上り物理チャネル、又はパケット）に対してパワースケーリングを適用して送信電力を減少させる。
【０１０２】
例えば、移動局装置１０が複数セルＣ１，Ｃ２に接続されている状態において、パワースケーリングを適用するＴＡＧがパワースケーリング対象として通知されていると仮定する。この場合、移動局装置１０に対してＭＴＡが適用されていて、ＰＯ区間（図４参照）においてトータル送信電力が上限規定を超える場合に、送信電力設定部１０８４は、予め通知されたＴＡＧに含まれたＣＣの送信電力を減少させる。
【０１０３】
また、移動局装置１０は、プライマリセルとなるセルＣ１とセカンダリセルとなるセルＣ２に接続されている状態において、パワースケーリングを適用するセルとして例えばプライマリセルが通知されていると仮定する。この場合、移動局装置１０に対してＭＴＡが適用されていて、ＰＯ区間においてトータル送信電力が上限規定を超える場合、送信電力設定部１０８４は、予め通知されたプライマリセルの送信電力を減少させる。
【０１０４】
また、移動局装置１０は、予めセルに物理チャネルが紐づけられた情報を取得していて、パワースケーリングを適用するセルが基地局装置２０から通知される。例えば、制御信号用のプライマリセルＣ１（ＴＡＧ＃１、ＣＣ＃１）がパワースケーリング対象となれば、プライマリセルＣ１におけるデータ信号（ＰＵＳＣＨ）がパワースケーリングされるように規定されているとする。移動局装置１０は、ＰＯ区間においてトータル送信電力が上限規定を超える場合、予めプライマリセルＣ１（ＴＡＧ＃１、ＣＣ＃１）がパワースケーリングの対象として通知されていれば、プライマリセルＣ１のＰＵＳＣＨの送信電力を減少させる。又は、データ伝送用のセカンダリセル（ＴＡＧ＃２、ＣＣ＃２）がパワースケーリング対象となれば、セカンダリセルにおける制御信号（ＰＵＣＣＨ）がパワースケーリングされるように規定されているとする。ユーザ端末ＵＥは、ＰＯ区間においてトータル送信電力が上限規定を超える場合、予めセカンダリセル（ＴＡＧ＃２、ＣＣ＃２）がパワースケーリングの対象として通知されていれば、送信電力設定部１０８４は、セカンダリセルのＰＵＣＣＨの送信電力を減少させる。
【０１０５】
また、基地局装置２０がＴＡＧ＃１（ＣＣ＃１）のＰＵＳＣＨをパワースケーリングが適用される対象に明示的に規定し、ＴＡＧ＃２（ＣＣ＃２）のＰＵＣＣＨをパワースケーリングが適用される対象に明示的に規定している場合、移動局装置１０は、この規定されたパワースケーリング情報が基地局装置２０から通知される。この場合、移動局装置１０は、ＰＯ区間においてトータル送信電力が上限規定を超える場合に、送信電力設定部１０８４は、予め通知された物理チャネルの送信電力を減少させる。例えば、ＴＡＧ＃１（ＣＣ＃１）のＰＵＳＣＨをパワースケーリングが適用される対象に規定されていれば、ＴＡＧ＃１（ＣＣ＃１）のＰＵＳＣＨの送信電力を減少させる。
【０１０６】
または、パワースケーリングを適用するＴＡＧを暗示的に規定することにより、シグナリングを行わずに、伝送品質を保つ上記パワースケーリング方法（１）から（５）が適用される場合も、トータル送信電力が上限規定を超えるＰＯ区間において、送信電力設定部１０８４は、上記パワースケーリング方法（１）から（５）のいずれかを適用してＴＡＧ（セル、ＣＣ、上り物理チャネル、又はパケット）の送信電力を減少させる。
【０１０７】
例えば、送信電力の大きいＴＡＧにパワースケーリングが適用されるように規定された場合、送信電力設定部１０８４は、ＴＡＧ毎に送信電力の合計を計算し、送信電力の最も大きいＴＡＧにパワースケーリングを適用する。このとき、基地局装置２０からパワースケーリング対象情報のシグナリングは不要である。
【０１０８】
また、トランスポートブロックサイズ（伝送ビット数）の小さいＰＵＳＣＨにパワースケーリングを適用するように規定された場合、送信電力設定部１０８４は、例えばセルＣ１とセルＣ２とに割り当てられたトランスポートブロックのうち、サイズの大きいトランスポートブロックが割り当てられているセルの送信電力を減少させる。これにより、再送時のオーバーヘッドを低減できる。このとき、基地局装置２０からパワースケーリング対象情報のシグナリングは不要である。
【０１０９】
また、合計割当て帯域幅の小さいＴＡＧにパワースケーリングが適用されるように規定された場合、送信電力設定部１０８４は、セルＣ１にＣＣ＃１のみが割り当てれ、セルＣ２にＣＣ＃２及びＣＣ＃３が割り当てられていれば、セルＣ１のＴＡＧにパワースケーリングを適用する。
【０１１０】
また、上りリンクの新規パケットにパワースケーリングが適用されるように規定された場合、送信電力設定部１０８４は、データ新規送信／再送判定部１１５の判定結果に対応して新規パケットにパワースケーリングを適用する。または、再送パケットにパワースケーリングが適用されるように規定された場合、送信電力設定部１０８４は、データ新規送信／再送判定部１１５の判定結果に対応して再送パケットにパワースケーリングを適用する。パワースケーリングを適用する対象パケットを、上りリンクの新規パケットとするか、再送パケットとするかはシステムの運用による。
【０１１１】
図１１を参照し、移動局装置１０のベースバンド信号処理部１０８におけるレイヤ１処理部１０８１の構成について説明する。同図に示すように、送受信部１０６ａ、１０６ｂから出力される受信信号がＯＦＤＭ復調部１１１で復調される。ＯＦＤＭ復調部１１１で復調された下りリンクの受信信号のうち、ＰＤＳＣＨ信号は下りＰＤＳＣＨ復号部１１２に入力され、ＰＨＩＣＨ信号は下りＰＨＩＣＨ復号部１１３に入力される、ＰＤＣＣＨ信号は下りＰＤＣＣＨ復号部１１４に入力される。下りＰＤＳＣＨ復号部１１２は、ＰＤＳＣＨ信号を復号し、ＰＤＳＣＨ送信データを再生する。下りＰＨＩＣＨ復号部１１３は、下りリンクのＰＨＩＣＨ信号を復号する。下りＰＤＣＣＨ復号部１１４は、ＰＤＣＣＨ信号を復号する。ＰＤＣＣＨ信号には、ＵＬ  ｇｒａｎｔを含むＤＣＩフォーマットが含まれる。基地局装置２０から移動局装置１０に対してパワースケーリング対象情報が上位レイヤシグナリングされる場合は、ＰＤＳＣＨ信号を復号した送信データにパワースケーリング対象情報が含まれる。
【０１１２】
データ新規送信／再送判定部１１５は、下りＰＨＩＣＨ復号部１１３により復号されたＰＨＩＣＨ信号にハイブリッドＡＲＱの確認応答（ＡＣＫ／ＮＡＣＫ）が含まれる場合、そのハイブリッドＡＲＱの確認応答（ＡＣＫ／ＮＡＣＫ）に基づいて、新規のデータ送信又は再送を判定する。また、ＰＤＣＣＨ信号のＵＬ  ｇｒａｎｔにハイブリッドＡＲＱの確認応答（ＡＣＫ／ＮＡＣＫ）が含まれる場合、そのハイブリッドＡＲＱの確認応答（ＡＣＫ／ＮＡＣＫ）に基づいて、新規のデータ送信又は再送を判定する。これらの判定結果を新規送信データバッファ部１１６及び再送データバッファ部１１７に通知する。
【０１１３】
新規送信データバッファ部１１６は、アプリケーション部１１０から入力された上りリンクの送信データをバッファリングしている。再送データバッファ部１１７は、新規送信データバッファ部１１６から出力された送信データをバッファリングする。データ新規送信／再送判定部１１５から新規のデータ送信である旨の判定結果が通知されると、新規送信データバッファ部１１６内の送信データから上り送信データが生成される。一方、データ新規送信／再送判定部１１５からデータ再送である旨の判定結果が通知されると、再送データバッファ部１１７内の送信データから上り送信データが生成される。
【０１１４】
生成された上り送信データは、図示しない直並列変換部に入力される。この直並列変換部においては、上り送信データが、上りリンクのランク数に応じてコードワード数分に直並列変換される。なお、コードワード（符号語）とは、チャネル符号化の符号化単位を示しており、その数（コードワード数）は、ランク数及び又は送信アンテナ数により一意に決定される。ここでは、コードワード数が３つに決定された場合について示している。なお、コードワード数とレイヤ数（ランク数）とは必ずしも等しくはならない。上りコードワード＃１送信データ、上りコードワード＃２送信データ、上りコードワード＃３送信データは、データ符号化部１１８ａ、１１８ｂ、１１８ｃに入力される。
【０１１５】
データ符号化部１１８ａでは、上りコードワード＃１送信データが符号化される。データ符号化部１１８ａで符号化された上りコードワード＃１送信データは、データ変調部１１９ａで変調され、多重部１２０ａで多重された後、逆フーリエ変換部（ＤＦＴ）１２１ａで逆フーリエ変換されて時系列の情報が周波数領域の情報に変換される。なお、データ符号化部１１８ａ、データ変調部１１９ａは、下りＰＤＣＣＨ復号部１１４からのＭＣＳ情報に基づいて、上りコードワード＃１送信データの符号化及び変調処理を行う。サブキャリアマッピング部１２２ａでは、下りＰＤＣＣＨ復号部１１４からのスケジューリング情報（リソース割り当て情報）に基づいて周波数領域でのマッピングを行う。なお、データ符号化部１１８ｂ、１１８ｃからサブキャリアマッピング部１２２ｂ、１２２ｃにおいても、上りコードワード＃２、＃３に対して上りコードワード＃１と同様の処理が行われる。そして、マッピング後の上りコードワード＃１送信データが逆高速フーリエ変換部（ＩＦＦＴ）１２３ａ、１２３ｂ、１２３ｃにて送信信号を逆高速フーリエ変換して周波数領域の信号を時間領域の信号に変換する。そして、サイクリックプレフィックス（ＣＰ）付与部１２４ａ、１２４ｂ、１２４ｃにて送信信号にサイクリックプレフィックスを付与する。ここで、サイクリックプレフィックスは、マルチパス伝搬遅延及び基地局装置２０における複数ユーザ間の受信タイミングの差を吸収するためのガードインターバルとして機能する。
【０１１６】
今、セルＣ１にＣＣ＃１が割り当てられ、セルＣ２に２つのＣＣ＃２及びＣＣ＃３が割り当てられていて、ＣＣ＃１がＴＡＧ＃１に分類され、ＣＣ＃２及びＣＣ＃３がＴＡＧ＃２に分類されているものとする。そして、セルＣ１とセルＣ２に接続している移動局装置１０に対してＭＴＡが適用されて、ＴＡＧ＃１が送信タイミングＴ１に設定され、ＴＡＧ＃２が送信タイミングＴ２に設定されているとする。本実施の形態では、上りデータ（コードワード＃１）がセルＣ１の上りリンクで送信され、上りデータ（コードワード＃２、＃３）がセルＣ２の上りリンクで送信されるものとする。
【０１１７】
以上の状況下において、セルＣ１の上りリンクデータである送信信号（コードワード＃１）は、ＭＴＡ処理部１２５ａにて送信タイミングがタイミングＴ１に制御される。また、セルＣ２の上りリンクデータである送信信号（コードワード＃２）は、ＭＴＡ処理部１２５ｂにて送信タイミングがタイミングＴ２に制御され、送信信号（コードワード＃３）は、ＭＴＡ処理部１２５ｃにて送信タイミングがタイミングＴ２に制御される。セルＣ２の上りリンクデータである送信信号（コードワード＃２）及び送信信号（コードワード＃３）は共にタイミングＴ２に制御され、さらにＣｏｍｂｉｎｅｒ１２６でコンバインされる。
【０１１８】
このように、移動局装置１０がパワースケーリングを適用すべきＴＡＧ等を、基地局装置２０において明示的に規定してシグナリングしてくるので、移動局装置１０は通知されたパワースケーリング対象に対してパワースケーリングを適用することができる。この結果、基地局装置２０が通信環境（セル構成、キャリアアグリゲーション状況、伝送品質、トラフィック、送信電力、トランスポートブロックサイズ、パケット種別等）を考慮して決定したパワースケーリング対象にパワースケーリングを適用でき、パワースケーリングを適用することによる上りリンク伝送品質の劣化を抑制できる。
【０１１９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２０】
１  移動通信システム
１０、１０Ａ，１０Ｂ  移動局装置
１０２ａ、１０２ｂ  送受信アンテナ
１０４ａ、１０４ｂ  アンプ部
１０６ａ、１０６ｂ  送受信部
１０８  ベースバンド処理部
１０８１  レイヤ１処理部
１０８４  送信電力設定部
１１０  アプリケーション部
１１１  ＯＦＤＭ復調部
１１２  下りＰＤＳＣＨ復号部
１１３  下りＰＨＩＣＨ復号部
１１４  下りＰＤＣＣＨ復号部
１１５  データ新規送信／再送判定部
１１６  新規送信データバッファ部
１１７  再送データバッファ部
１２５ａ、１２５ｂ、１２５ｃ  ＭＴＡ処理部
２０、２０Ａ，２０Ｂ  基地局装置
２０２ａ、２０２ｂ  送受信アンテナ
２０４ａ、２０４ｂ  アンプ部
２０６ａ、２０６ｂ  送受信部
２０８  ベースバンド信号処理部
２１０  呼処理部
２１２  伝送路インターフェース
２２１  チャネル品質測定部
２３３  再送情報チャネル選択部
２３４  スケジューラ
２３５  プリコーディングウェイト・ランク数選択部
２３６  ＭＣＳ選択部
２３７  個別ユーザデータ生成部
２３８  ＵＬ  ｇｒａｎｔ情報生成部
２３９  ＰＨＩＣＨ信号生成部
２４０  ＰＤＳＣＨ信号生成部
２４１  ＰＤＣＣＨ信号生成部
２４２  ＯＦＤＭ変調部
３０  上位局装置
【図１】
2014072778.tif 000003
【図２】
2014072778.tif 000004
【図３】
2014072778.tif 000005
【図４】
2014072778.tif 000006
【図５】
2014072778.tif 000007
【図６】
2014072778.tif 000008
【図７】
2014072778.tif 000009
【図８】
2014072778.tif 000010
【図９】
2014072778.tif 000011
【図１０】
2014072778.tif 000012
【図１１】
2014072778.tif 000013